(57)【要約】      （修正有）【課題】よだれを確実に吸収することができる使い捨てよだれ吸収パッドを提供する。【解決手段】不織布ガーゼからなる表面材１０と、脱脂綿２１、高分子吸収材２２および吸水紙２３を積層してなる吸収材２０と、紙を裏面側としてポリエチレンフィルムと紙とをラミネート加工した裏面材３０とを順次積層した成形シート１により使い捨てよだれ吸収パッドを形成した。【選択図】図１
2019011530.tif 000002
【特許請求の範囲】
【請求項１】
不織布ガーゼからなる表面材と、脱脂綿、高分子吸収材および吸水紙を積層してなる吸収材と、紙を裏面側としてポリエチレンフィルムと紙とをラミネート加工した裏面材とを順次積層した成形シートからなることを特徴とする使い捨てよだれ吸収パッド。
【請求項２】
上記成形シートは、使用者の首元に宛がわれる１つの首宛て部と、上記使用者の肩側に宛がわれる少なくとも１つの肩当て部とを備えていることを特徴とする請求項１に記載の使い捨てよだれ吸収パッド。
【請求項３】
上記成形シートは、使用者の首元に宛がわれる２つの首宛て部と、上記首宛て部を挟んで上記使用者の各肩に宛がわれる３つの肩当て部とを備え、上記３つの肩当て部のうち、上記首宛て部を挟んで設けられる肩当て部は、上記２つの首宛て部のいずれかが使用された場合でも上記使用者の肩に宛がわれることを特徴とする請求項１に記載の使い捨てよだれ吸収パッド。
【請求項４】
上記表面材には、プリーツ加工が施されていることを特徴とする請求項１ないし３のいずれか１項に記載の使い捨てよだれ吸収パッド。
【発明の詳細な説明】
【技術分野】
【０００１】
本発明は、例えば、無意識に口から唾液（よだれ）が流れ出す流涎症（唾液分泌過多症）の患者等に使用されるよだれ吸収パッドに関し、さらに詳しく言えば、使用者の衣服からずれ落ちることなく、よだれを確実に吸収することができる使い捨てよだれ吸収パッドに関する。
【背景技術】
【０００２】
乳幼児、寝たきりの老人、病人等のよだれや食べこぼしなどで衣類が汚れないようにするために使用されるよだれ掛けは、布製のものが一般的である。布製のよだれ掛けは吸水性が良く、小さく折りたたむことができるので携帯に便利である。
【０００３】
また、最近では、よだれ掛けの表面に防水や撥水加工を施して機能性を高めたものも提供されているが、一般に流通しているよだれ掛けは乳幼児を対象としたものが多く、よだれのしみ込み量が多い成人を対象とする成人用のよだれ掛けは必ずしも多くない。
【０００４】
そのため、寝たきりの老人や成人した病人等の場合では、よだれ掛けの代わりにタオル等を使用することが多いが、汚れたタオル等をきれいなものと何度も交換したり洗濯しなければならず、介護者の大きな負担となっていた。
【０００５】
特に、本人の意思とは関係なしに口からよだれが継続的に流れ出す流涎症（唾液分泌過多症）の患者等では、よだれがタオル等のみでは吸収しきれずに衣類や寝具にまで浸透してしまい、衛生的にも好ましくない。
【０００６】
そこで、最近では、よだれ掛けとしては一般的な形状であるエプロン形状のよだれ掛けに、食べこぼしやよだれを受け止める収納部を設けた使い捨てのよだれ掛けが提供されている（下記特許文献１参照）。
【０００７】
しかしながら、エプロン形状のよだれ掛けは患者の首回り全体をカバーしていないため、使用者の口元がよだれ掛けから外れてしまうような、例えば、就寝中に使用者が寝返りをうった場合等についての対応は考慮されていない。
【先行技術文献】
【特許文献】
【０００８】
【特許文献１】特開２００２−２６６１２２号公報
【発明の概要】
【発明が解決しようとする課題】
【０００９】
したがって、本発明の課題は、よだれ吸収パッドを使用者の首回りに安定的に位置させることができるとともに、特によだれの量が多い成人や流涎症の患者等のよだれを確実に吸収することができる使い捨てよだれ吸収パッドを提供することにある。
【課題を解決するための手段】
【００１０】
上記課題を解決するため、本発明の使い捨てよだれ吸収パッドは、不織布ガーゼからなる表面材と、脱脂綿、高分子吸収材および吸水紙を積層してなる吸収材と、紙を裏面側としてポリエチレンフィルムと紙とをラミネート加工した裏面材とを順次積層した成形シートからなることを特徴としている。
【００１１】
本発明において、上記成形シートは、使用者の首元に宛がわれる１つの首宛て部と、上記使用者の肩側に宛がわれる少なくとも１つの肩当て部とを備えていることが好ましい。
【００１２】
また、本発明において、上記成形シートは、使用者の首元に宛がわれる２つの首宛て部と、上記首宛て部を挟んで上記使用者の各肩に宛がわれる３つの肩当て部とを備え、上記３つの肩当て部のうち、上記首宛て部を挟んで設けられる肩当て部は、上記２つの首宛て部のいずれかが使用された場合でも上記使用者の肩に宛がわれることようにするとよい。
【００１３】
さらに、本発明において、上記表面材にプリーツ加工を施してもよい。
【発明の効果】
【００１４】
本発明によれば、成形シートの表面材を不織布ガーゼとしたことにより、吸水性を向上させることができるとともに、使用者の肌触りを良くすることができるため、使用者の使用性および快適性を向上することができる。
【００１５】
また、成形シートの裏面材の裏面側を紙としたことにより、成形シートが配置される衣服や寝具等と紙との摩擦抵抗を大きくでき、成形シートが衣服や寝具等からズレさせることなく定位置に安定させることができ、衣服や寝具等の汚れを防ぐことができる。
【図面の簡単な説明】
【００１６】
【図１】本発明の実施形態に係る成形シートの（ａ）平面図，（ｂ）背面図，（ｃ）（ａ）におけるＡ−Ａ線分解断面図。
【図２】本発明の実施形態に係る成形シートの使用態様例を示す模式図。
【図３】本発明の係る成形シートの変形例を説明するための模式図。
【図４】本発明の係る成形シートの他の変形例を説明するための模式図。
【発明を実施するための形態】
【００１７】
次に、図１ないし図４を参照して、本発明の使い捨てよだれ吸収パッドの実施形態を説明するが、本発明は以下の説明に限定されることはない。
【００１８】
まず、図１を参照して、本実施形態に係る使い捨てよだれ吸収パッドは、表面材１０と、吸収材２０および裏面材３０とを順次積層した成形シート１からなり、この実施形態において、成形シート１は、図２（ａ）に示すように、使用者の両肩を覆うことができる、例えば、縦２３ｃｍ，横４５ｃｍの矩形状に成形されている。
【００１９】
表面材１０は、不織布ガーゼからなり、素材は特には限定されないが、例えば、レーヨンやポリエステルを素材とすれば経済的である。
【００２０】
また、不織布ガーゼは、吸水性に優れ、通常の紙や布に比べてよだれを速やかに吸収材に落とし、逆戻りさせ難い効果があり、また、柔らかくしなやかであるため、使用者に快適な肌触りを維持さらることができる。
【００２１】
吸収材２０は、脱脂綿２１，高分子吸収材２２および吸水紙２３の積層体からなり、このうち、脱脂綿２１はよだれを素早く吸収し、面および層の両方向に広げる役割を果たす。
【００２２】
この例で、高分子吸収材２２は、綿状パルプに包まれた高分子ポリマーからなるが、高分子吸収材２２は、自重の数十倍のよだれを吸収する保水力を有し、さらに、吸収したよだれをジェル状に固める働きを備えている。
【００２３】
また、吸水紙２３は、吸水性に富む紙であればよく特には限定されないが、高分子吸収材２２が吸収したよだれが漏れないように、高分子吸収材全体を覆うように積層される。
【００２４】
裏面材３０は、ポリエチレンフィルムと紙とをラミネート加工したポリエチレン加工紙からなり、紙を成形シート１の裏面側としてポリエチレンフィルム側で高分子吸収材２２を覆うように配設されている。
【００２５】
本実施形態において、成形シート１は、表面材１０を使用者の肌に触れる表面側とし、裏面材３０を使用者の衣服や寝具等に載置される裏面側として使用される。
【００２６】
そのため、裏面材３０のポリエチレンフィルム側が吸収材２０で吸収したよだれを成形シート１から漏らさない防水シートの役割を果たすようになっている。
【００２７】
また、裏面材３０の裏面側を滑りにくい紙、例えば、平滑処理をしていない紙や皺などが残る紙（例えばクレープ紙）としているため、衣服や寝具等と紙との摩擦抵抗により、成形シート１を衣服や寝具等からズレさせることなく、定位置に安定させることができる。
【００２８】
なお、上記実施形態では、裏面材３０の裏面側を紙とする例で説明したが、裏面材３０の裏面側をポリエチレンフィルムとしても良く、この場合、衣服や寝具との滑りを防止するため、例えば皺を作って加工するようなノンスリップ加工を施すとよい。
【００２９】
上記実施形態では、成形シート１は、その表裏面に表れる表面材１０および裏面材３０には何の着色も施さず白色としているが、例えば、表面材１０と裏面材３０の一方または双方に、緑色や青色等の色彩やキャラクターや花等の模様を施し装飾性を具備させてもよい。
【００３０】
次に、図２を参照して、本発明の使い捨てよだれ吸収パッドの使用態様例を説明する。この例で、成形シート１は、上記したように、使用者の両肩を覆うことができる横幅に成形されており、使用者の首元に宛がわれる首宛て部１ａと、使用者の各両肩へと宛がわれる肩当て部１ｂ，１ｂとを備えている。
【００３１】
まず、使用態様の一例として、図２（ａ）に示すように、成形シート１の表面材１０を上面として、肩当て部１ｂ，１ｂにより使用者の両肩全体を覆うように、首宛て部１ａを使用者の首元（あご下）位置させる。
【００３２】
この例では、成形シート１を使用者のあご下の前面部全体に渡って位置させることができるため、使用者が仰臥している場合や座位している場合のいずれであっても、よだれを確実に受け止めることができる。
【００３３】
図２（ｂ）では、成形シートの表面材１０を上面として、一方の肩当て部１ｂにより使用者の一方の肩を覆うように、首宛て部１ａを使用者の首元（あご下）に位置させた使用態様例が示されており、この例では、横臥を余儀なくされている病人等のよだれを確実に受け止めることができる。
【００３４】
図２（ｃ）では、成形シート１の裏面材３０側のほぼ中央部分を使用者の後ろ首に位置させて使用者の首回りから両肩全体を覆うようにした使用態様例が示されており、この例では、図２（ａ）の使用態様例と同様に、使用者が仰臥している場合や座位している場合のいずれであっても、よだれを確実に受け止めることができる。
【００３５】
また図２（ａ）〜（ｃ）のいずれの使用態様であっても、成形シート１の裏面側（使用者との接触面）が紙からなるため、使用者の動きによらず、成形シート１が使用者の衣服や寝具等からずれることなく、定位置に安定させることができる。
【００３６】
なお、上記実施形態では、成形シート１を使用者の両肩を覆うことができる大きさとした例で説明したが、成形シート１の大きさはこれに限られることはなく、例えば、肩幅の小さい女性や子供に合わせた大きさ等、仕様にあわせて設計変更すればよい。
【００３７】
また、使用態様も上記使用態様例に限られることはなく、使用者（患者等）の姿勢や生活環境に応じて種々に使用することができる。例えば、よだれの量の多い使用者では、図２（ｂ）の例によらず、２枚の成形シート１をＸ状に重ねて使用してもよく、これにより、よだれをより確実に受け止めることができる。
【００３８】
なお、上記実施形態では、表面材１０を平滑な不織布ガーゼにより形成しているが、これに限られることなく、不織布ガーゼにプリーツ加工を施してもよい。これにより、よだれの吸収面を大きくし、その吸収量をより多くすることができる。
【００３９】
図３および図４には、本発明の使い捨てよだれ吸収パッドの成形シート１の変形例が示されており、この成形シート１も、上記実施形態と同様に、表面材１０と、吸収材２０および裏面材３０とを順次積層した構成からなり、その構成内容も、上記実施形態と同様である。
【００４０】
まず、図３を参照して、図３（ａ）は凹型、図３（ｂ）は馬蹄型、図３（ｃ）はＬ字型、図３（ｄ）はＪ型からなる成形シート１が示されており、これらの成形シートは、いずれも使用者の肩に宛がわれる凹形状の首宛て部１ａと、首宛て部１ａを挟んで使用者の両肩に宛がわれる２つの首宛て部１ｂ，１ｂとを備えている。
【００４１】
次に、図４を参照して、図４（ａ）にはＴ字形状の成形シート１が、図４（ｂ）にはＳ字形状の成形シート１が示されており、図４（ａ）および図４（ｂ）には、それぞれ凹形状の２つの首宛て部１ａ，１ａと、それら首宛て部１ａ，１ａを挟んで設けられる３つの肩当て部１ｂ，１ｂ，１ｂとを備えている。
【００４２】
ここで、図４（ａ）および図４（ｂ）では、２つの首宛て部１ａ，１ａが備えられているが、例えば、使用者の装着時の口元や肩位置に合わせ、いずれか一方の首宛て部１ａに使用者の首元を宛がうことにより、装着後の使用者の姿勢が変化した場合でも、いずれかの肩当て部１ｂにより使用者のよだれを確実に受け止めることができる。
【００４３】
なお、図３および図４に成形シート１の変形例を挙げているが、本発明の使い捨て吸収パッドは、少なくとも１つの首宛て部１ａと少なくとも１つの肩当て部１ｂ以上の設けられていれば良く、これら変形例に示す形状や使用例に限られることはない。
【００４４】
例えば、図４（ａ）の成形シート１を、２つの首宛て部１ａと３つの首宛て部１ｂとして使用する例で説明したが、図１に示す成形シート１と同様に、矩形状の横長シートのほぼ中央を首宛て部１ａ１とし、その両側を肩当て部１ｂ１として使用しても良く、使用者の使い勝手により使い分けることができる。
【符号の説明】
【００４５】
１  成形シート
１０  表面材
２０  吸収材
３０  裏面材
１ａ  首宛て部
１ｂ  肩当て部
【図１】
2019011530.tif 000003
【図２】
2019011530.tif 000004
【図３】
2019011530.tif 000005
【図４】
2019011530.tif 000006